(57)【特許請求の範囲】
【請求項１】
ディスク状記録媒体上の映像信号を他の記録媒体へアナログ映像信号としてコピーすることを管理するための記録制御情報を記録したディスク状記録媒体であって、このディスク状記録媒体のリードイン内のＴＯＣ領域とプログラム領域は同サイズのセクタ構造で構成され、このセクタ構造は各々、ヘッダ部とデータ部からなり、上記記録制御情報を少なくとも上記ＴＯＣ領域にあっては上記データ部に、上記プログラム領域にあっては上記ヘッダ部に記録してなることを特徴とするディスク状記録媒体。
【請求項２】
上記記録制御情報は、上記アナログ映像信号中の垂直帰線期間内の複数の水平期間にわたって、複数の疑似同期パルスと複数の白ピーク信号との組み合わせ信号を挿入させるために機能する信号であり、この記録制御情報を上記プログラム領域の上記ヘッダ部に記録してなることを特徴とする請求項１記載のディスク状記録媒体。
【請求項３】
上記記録制御情報は、上記アナログ映像信号中のカラーバースト信号の少なくとも一部の位相を変化させるために機能する信号であり、この記録制御情報を上記プログラム領域の上記ヘッダ部に記録してなることを特徴とする請求項１記載のディスク状記録媒体。
【請求項４】
上記記録制御情報は、上記アナログ映像信号中の上記垂直帰線期間内の所定の水平期間に、複数のビットでコード化された信号を挿入させるために機能する信号であり、この記録制御情報を上記プログラム領域の上記ヘッダ部に記録してなることを特徴とする請求項１記載のディスク状記録媒体。
【請求項５】
上記記録制御情報は、複数ビットのコピー管理情報を含み、このコピー管理情報の所定位の情報ビットが少なくとも（１，１）のときコピー禁止を示すことを特徴とする請求項１記載のディスク状記録媒体。
【請求項６】
上記記録制御情報は、記録の禁止を指示する記録禁止信号及び／又は記録の世代制限を指示する世代制限指示信号を含むことを特徴とする請求項１記載のディスク状記録媒体。
【請求項７】
上記世代制限指示信号は、２ビットのコピー世代管理情報であり、（０，０）のときコピーフリーを、（１， ０）のとき１世代コピー可を、（１，１）のときコピー禁止をそれぞれ示すことを特徴とする請求項６記載のディスク状記録媒体。
【請求項８】
上記映像信号は鍵情報をもって暗号化されたディジタル化映像信号であり、上記記録制御情報の中に少なくとも該暗号化ディジタル映像信号を解読する鍵情報を含むことを特徴とする請求項１記載のディスク状記録媒体。
【請求項９】
上記鍵情報は、少なくとも上記セクタ構造内のデータ部に記録されてなることを特徴とする請求項８記載のディスク状記録媒体。
【請求項１０】
ディスク状記録媒体上の映像信号を他の記録媒体へコピーすることを管理するための記録制御情報を記録したディスク状記録媒体であって、このディスク状記録媒体はリードイン内のＴＯＣ領域とプログラム領域とを有し、上記プログラム領域はヘッダ部とデータ部からなるセクタ構造で構成され、該ヘッダ部は少なくとも識別ＩＤデータ領域、この識別ＩＤデータのためのＩＤエラー検出符号データ領域、予備データ領域から構成され、この予備データ領域に上記記録制御情報を記録したことを特徴とするディスク状記録媒体。
【請求項１１】
上記記録制御情報は、記録の禁止を指示する記録禁止信号及び／又は記録の世代制限を指示する世代制限指示信号を含むことを特徴とする請求項１０記載のディスク状記録媒体。
【請求項１２】
上記記録制御情報は、複数ビットのコピー管理情報を含み、このコピー管理情報の所定位の情報ビットが少なくとも（１，１）のときコピー禁止を示すことを特徴とする請求項１０記載のディスク状記録媒体。
【請求項１３】
上記セクタ構造は、２０６８バイトのデータを１セクタとして構成され、上記ヘッダ部は１７２バイトからなり、上記識別ＩＤデータは４バイト、上記ＩＤエラー検出符号データは２バイト、上記予備データは６バイトのデータで構成され、上記記録制御情報が上記６バイトのうちの所定ビットとして割り当てられたことを特徴とする請求項１０記載のディスク状記録媒体。
【請求項１４】
上記記録制御情報は２ビットのコピー世代管理情報を含みこの情報が、（０，０）のときコピーフリーを、（１，０）のとき１世代コピー可を、（１，１）のときコピー禁止をそれぞれ示すことを特徴とする請求項１３記載のディスク状記録媒体。
【請求項１５】
ディスク状記録媒体上への映像信号を他の記録媒体へアナログ映像としてコピーすることを管理するための記録制御信号を発生し、
上記ディスク状記録媒体のリードイン内のＴＯＣ領域とプログラム領域は同サイズのセクタ構造で構成され、このセクタ構造は各々、ヘッダ部とデータ部からなり、上記記録制御情報を少なくとも上記ＴＯＣ領域にあっては上記データ部に、上記プログラム領域にあっては上記ヘッダ部に記録する
ことを特徴とする信号記録方法。
【請求項１６】
上記記録制御情報は、上記アナログ映像信号中の垂直帰線期間内の複数の水平期間にわたって、複数の疑似同期パルスと複数の白ピーク信号との組み合わせ信号を挿入させるために機能する信号であり、この記録制御情報を上記プログラム領域の上記ヘッダ部に記録してなることを特徴とする請求項１５記載の信号記録方法。
【請求項１７】
上記記録制御情報は、上記アナログ映像信号中のカラーバースト信号の少なくとも一部の位相を変化させるために機能する信号であり、この記録制御情報を上記プログラム領域の上記ヘッダ部に記録してなることを特徴とする請求項１５記載の信号記録方法。
【請求項１８】
上記記録制御情報は、上記アナログ映像信号中の上記垂直帰線期間内の所定の水平期間に、複数のビットでコード化された信号を挿入させるために機能する信号であり、この記録制御情報を上記プログラム領域の上記ヘッダ部に記録してなることを特徴とする請求項１５記載の信号記録方法。
【請求項１９】
上記記録制御情報は、複数ビットのコピー管理情報を含み、このコピー管理情報の所定位の情報ビットが少なくとも（１，１）のときコピー禁止を示すことを特徴とする請求項１５記載の信号記録方法。
【請求項２０】
上記記録制御情報は、記録の禁止を指示する記録禁止信号及び／又は記録の世代制限を指示する世代制限指示信号を含むことを特徴とする請求項１５記載の信号記録方法。
【請求項２１】
上記世代制限指示信号は、２ビットのコピー世代管理情報であり、（０，０）のときコピーフリーを、（１， ０）のとき１世代コピー可を、（１，１）のときコピー禁止をそれぞれ示すことを特徴とする請求項２０記載の信号記録方法。
【請求項２２】
上記映像信号は鍵情報をもって暗号化されたディジタル化映像信号であり、上記記録制御情報の中に少なくとも該暗号化ディジタル映像信号を解読する鍵情報を含むことを特徴とする請求項１５記載の信号記録方法。
【請求項２３】
上記鍵情報は、少なくとも上記セクタ構造内のデータ部に記録されてなることを特徴とする請求項２２記載の信号記録方法。
【請求項２４】
ディスク状記録媒体上の映像信号を他の記録媒体へコピーすることを管理するための記録制御情報を発生し、
上記ディスク状記録媒体プログラム領域はヘッダ部とデータ部からなるセクタ構造で構成され、該ヘッダ部は少なくとも識別ＩＤデータ領域、この識別ＩＤデータのためのＩＤエラー検出符号データ領域、予備データ領域から構成され、この予備データ領域に上記記録制御情報を記録する
ことを特徴とする信号記録方法。
【請求項２５】
上記記録制御情報は、記録の禁止を指示する記録禁止信号及び／又は記録の世代制限を指示する世代制限指示信号を含むことを特徴とする請求項２４記載の信号記録方法。
【請求項２６】
上記記録制御情報は、複数ビットのコピー管理情報を含み、このコピー管理情報の所定位の情報ビットが少なくとも（１，１）のときコピー禁止を示すことを特徴とする請求項２４記載の信号記録方法。
【請求項２７】
上記セクタ構造は、２０６８バイトのデータを１セクタとして構成され、上記ヘッダ部は１７２バイトからなり、上記識別ＩＤデータは４バイト、上記ＩＤエラー検出符号データは２バイト、上記予備データは６バイトのデータで構成され、上記記録制御情報が上記６バイトのうちの所定ビットとして割り当てられたことを特徴とする請求項２４記載の信号記録方法。
【請求項２８】
上記記録制御情報は２ビットのコピー世代管理情報を含みこの情報が、（０，０）のときコピーフリーを、（１，０）のとき１世代コピー可を、（１，１）のときコピー禁止をそれぞれ示すことを特徴とする請求項２７記載の信号記録方法。
【請求項２９】
ディスク状記録媒体上への映像信号を他の記録媒体へアナログ映像としてコピーすることを管理するための記録制御信号を発生する手段と、
上記ディスク状記録媒体のリードイン内のＴＯＣ領域とプログラム領域は同サイズのセクタ構造で構成され、このセクタ構造は各々、ヘッダ部とデータ部からなり、上記記録制御情報を少なくとも上記ＴＯＣ領域にあっては上記データ部に、上記プログラム領域にあっては上記ヘッダ部に記録する手段と
を有することを特徴とする信号記録装置。
【請求項３０】
ディスク状記録媒体上の映像信号を他の記録媒体へコピーすることを管理するための記録制御情報を発生する手段と、
上記ディスク状記録媒体プログラム領域はヘッダ部とデータ部からなるセクタ構造で構成され、該ヘッダ部は少なくとも識別ＩＤデータ領域、この識別ＩＤデータのためのＩＤエラー検出符号データ領域、予備データ領域から構成され、この予備データ領域に上記記録制御情報を記録する手段と
を有することを特徴とする信号記録装置。
【発明の詳細な説明】
【０００１】
【発明の属する技術分野】
本発明は、ディジタルデータのコピーの防止や不正使用を阻止するためのディスク状記録媒体、信号記録方法及び装置に関する。
【０００２】
【従来の技術】
近年において、光ディスク等のディジタル記録媒体の大容量化と普及により、記録されている信号の著作権を保護するために、不法なコピーの防止が重要とされてきている。すなわち、ディジタルオーディオデータやディジタルビデオデータの場合には、コピー或いはダビングにより劣化の無い複製物を容易に生成でき、またコンピュータデータの場合には、元のデータと同一のデータが容易にコピーできるため、既に不法コピーによる著作権の侵害等の弊害が生じてきているのが実情である。
【０００３】
このようなことから、ディジタル記録媒体に記録されている信号を再生したディジタル信号を再びディジタル記録媒体に記録するいわゆるディジタルダビングにおける上記不法コピーの防止を目的として、オリジナルのディジタル記録媒体に不法コピー防止のための所定のＩＤビットを記録しているものがある。
【０００４】
例えば、いわゆるＲ−ＤＡＴ（Rotary head Digital Audio Taperecoder）と称されるディジタルオーディオ信号記録再生装置における上記不法コピー防止のための方式としては、ディジタル記録媒体としてのディジタルオーディオテープ上に記録されるディジタルオーディオ信号のメインデータエリアに、ディジタルコピーの禁止や段階的な世代コピーを禁止（すなわち世代制限）するための禁止コード（いわゆるＳＣＭＳ：シリアルコピー管理システムの規格の禁止コード）を記録しておき、ディジタルオーディオ信号記録装置がこの禁止コードを検出したときに、新たなディジタルオーディオテープ上への当該ディジタルオーディオ信号のコピー記録を禁止するような方式が採用されている。
【０００５】
【発明が解決しようとする課題】
ところで、ディジタルディスクやディジタルテープ等のディジタル記録媒体に記録された例えばディジタルビデオ信号を再生し、このディジタルビデオ信号を再びディジタル記録媒体に記録するようなビデオ信号のディジタルダビングあたっても、オリジナルのディジタルビデオ記録媒体に記録されている信号の著作権を保護するために、上記Ｒ−ＤＡＴにおける記録再生装置間での不法コピー防止の方式と同様に、オリジナルのディジタル記録媒体に不法コピー防止のための所定のＩＤビット（ＣＧＭＳ：コピー世代管理システムの規格の禁止コード）を記録することが考えられる。
【０００６】
しかし、オリジナルのディジタル記録媒体に上記不法コピー防止のための所定のＩＤビットを記録する方式の場合、上述したようなディジタルダビングにおける不法コピーを防止することについてはうまく機能するが、例えばオリジナルのディジタル記録媒体に記録されたディジタルビデオ信号を再生して一度アナログビデオ信号にＤ／Ａ変換し、このアナログビデオ信号をアナログ記録するような場合や、上記アナログビデオ信号を再びディジタルビデオ信号にＡ／Ｄ変換してディジタル記録するような場合には、上記不法コピーの防止機能が働かず、そのまま記録できることになる。
【０００７】
すなわち、上述したようにディジタル記録媒体に記録されたディジタルビデオ信号を再生してＤ／Ａ変換し、そのアナログビデオ信号をそのままアナログ記録した場合、或いはＡ／Ｄ変換して再びディジタルビデオ信号に戻してディジタル記録した場合であっても、このダビング後のビデオ信号は品質の劣化が非常に少ないものであるため、著作権保護としては不十分となり、したがってこのような不法なコピーをも確実に阻止できる方式が必要となっている。特に、近年においては、記録媒体として大容量のディスク状のディジタル記録媒体が普及してきており、当該ディスク状のディジタル記録媒体に記録されたディジタルビデオ信号に対する不法コピー防止策が望まれている。
【０００８】
また、前記ディジタルダビングにおいて、不法コピーの防止を目的として、例えば前記所定のＩＤビットを読み飛ばすようにすれば不法コピーが容易に実現できることになる。したがって、このようなＩＤビットを読み飛ばすような不法コピーに対してもその防止策が望まれている。
【０００９】
なお、上記不法コピー防止策は、ディジタルビデオ信号に限らず、ディジタルオーディオ信号やその他のディジタルデータであっても同様に望まれている。
【００１０】
そこで、本発明はこの様な実情に鑑みてなされたものであり、ディジタルデータを一旦アナログ信号に変換してこれをアナログ又はディジタル的に不法コピーすることを禁止し、さらに段階的な世代コピーをも禁止することが可能なディスク状記録媒体、信号記録方法及び装置を提供することを目的とする。
【００１１】
【課題を解決するための手段】
本発明に係るディスク状記録媒体は、ディスク状記録媒体上の映像信号を他の記録媒体へアナログ映像信号としてコピーすることを管理するための記録制御情報を記録したディスク状記録媒体であって、このディスク状記録媒体のリードイン内のＴＯＣ領域とプログラム領域は同サイズのセクタ構造で構成され、このセクタ構造は各々、ヘッダ部とデータ部からなり、上記記録制御情報を少なくとも上記ＴＯＣ領域にあっては上記データ部に、上記プログラム領域にあっては上記ヘッダ部に記録してなることにより上述の課題を解決する。
【００１２】
また、本発明に係るディスク状記録媒体は、ディスク状記録媒体上の映像信号を他の記録媒体へコピーすることを管理するための記録制御情報を記録したディスク状記録媒体であって、このディスク状記録媒体はリードイン内のＴＯＣ領域とプログラム領域とを有し、上記プログラム領域はヘッダ部とデータ部からなるセクタ構造で構成され、該ヘッダ部は少なくとも識別ＩＤデータ領域、この識別ＩＤデータのためのＩＤエラー検出符号データ領域、予備データ領域から構成され、この予備データ領域に上記記録制御情報を記録したことにより上述の課題を解決する。
【００１３】
また、本発明に係る信号記録方法及び装置は、ディスク状記録媒体上への映像信号を他の記録媒体へアナログ映像としてコピーすることを管理するための記録制御信号を発生し、上記ディスク状記録媒体のリードイン内のＴＯＣ領域とプログラム領域は同サイズのセクタ構造で構成され、このセクタ構造は各々、ヘッダ部とデータ部からなり、上記記録制御情報を少なくとも上記ＴＯＣ領域にあっては上記データ部に、上記プログラム領域にあっては上記ヘッダ部に記録することにより上述の課題を解決する。
【００１４】
また、本発明に係る信号記録方法及び装置は、ディスク状記録媒体上の映像信号を他の記録媒体へコピーすることを管理するための記録制御情報を発生し、上記ディスク状記録媒体プログラム領域はヘッダ部とデータ部からなるセクタ構造で構成され、該ヘッダ部は少なくとも識別ＩＤデータ領域、この識別ＩＤデータのためのＩＤエラー検出符号データ領域、予備データ領域から構成され、この予備データ領域に上記記録制御情報を記録することにより上述の課題を解決する。
【００１５】
【発明の実施の形態】
以下、本発明の好ましい実施の形態について、図面を参照しながら詳細に説明する。
【００１６】
本発明の実施の形態に用いられるディジタル記録媒体として、光ディスクを例に挙げ、当該光ディスクを作製するまでの流れを図１を用いて説明する。
【００１７】
先ず、マスタディスクＭＤを作製するマスタリング工程３０において、端子１には、例えば映画フィルムをディジタル信号に変換したディジタルビデオデータや、ディジタルカメラから直接送られるディジタルデータや、さらには放送局用のディジタルＶＴＲからのディジタルビデオデータが供給される。当該端子１を介して供給された例えばディジタルビデオデータは、圧縮符号化回路２に送られ、ここでいわゆるＭＰＥＧ（Moving Picture Image Coding Experts Group： 蓄積用動画像符号化の検討組織）にて規格化されたいわゆるＭＰＥＧ２規格の圧縮符号化が施されると共に、所定データ量単位例えば２０４８バイト単位でセクタ化される。
【００１８】
上記圧縮符号化回路２にて圧縮符号化されると共にセクタ化されたデータは、必要に応じてスクランブル回路９に送られる。当該スクランブル回路９には、コピー管理情報生成回路３により生成される後述する不法コピーを防止するためのコピー管理情報も供給され、ここで当該コピー管理情報を用いて上記圧縮符号化回路２の出力データに対して後述するようにスクランブルをかける。
【００１９】
このスクランブル回路９にてスクランブル処理が施されたデータは、コピー管理情報付加回路に送られる。当該コピー管理情報付加回路にも、上記コピー管理情報生成回路３により生成されるコピー管理情報も供給され、ここで上記スクランブル回路９の出力データに上記コピー管理情報が付加される。
【００２０】
なお、アナログ映像信号に、アナログ映像信号の態様の録画スクランブル信号及び／又は録画禁止信号を付加する場合に、上記スクランブル回路９を省略して、圧縮符号化回路２からのデータを直接コピー管理情報付加回路に送るようにしてもよい。
【００２１】
このコピー管理情報は、光ディスクの最内周或いは最外周に相当しスパイラル状の光トラックの始端に設けられることになるリードイン領域のいわゆるＴＯＣ（Table Of Contents） 内と、プログラム領域内のデータセクタのヘッダ内の何れか一方又は両方に付加されるものである。なお、以下の説明では、ＴＯＣ内とデータセクタのヘッダ内の両方に付加される例について述べている。このため、上記コピー管理情報付加回路は、上記ＴＯＣ内に上記コピー管理情報を付加するための付加回路４と上記データセクタのヘッダ内にコピー管理情報を付加するための付加回路５とを有する。
【００２２】
また、上記コピー管理情報は、アナログ及びディジタルのコピーを禁止又はディジタルのみコピーを禁止する旨を指示する情報と、コピーの世代制限を指示する情報との何れか一方又は両方からなり、以下の例ではこれら両方の情報を含むものとして説明する。なお、コピー管理情報には、課金情報も含むことも可能である。この課金情報をコピー管理情報に含めることで、当該課金情報に基づいて例えば映像の再生のみは無料とし、コピーする場合には有料として料金を払った場合にのみコピー可能とする（料金を払わない場合にはコピーを禁止する）ようなことを行うことも可能となる。
【００２３】
このときの上記コピー管理情報としては、図２に示すように例えばｂ７〜ｂ０の８ビットからなるものを挙げることができる。この８ビットのうち、例えば上位側のｂ７及びｂ６のビットが世代制限を指示するビットＣＭＣ として割り当てられ、例えば下位側のｂ２，ｂ１，ｂ０のビットがディジタル及びアナログのコピーを禁止又はディジタルのみコピーを禁止する旨を指示するビットＣＭＭ として割り当てられているものとする。ここでは、例えば上記ＣＭＭ のビット（ｂ２，ｂ１，ｂ０）が、（１，１，１）のときディジタル及びアナログのコピー禁止を示し、（０，１，１）のときディジタルコピーの禁止を示すことにする。また、当該マスタディスクＭＤの作製段階における上記コピー管理情報内の世代制限に割り当てられているビットＣＭＣ は、オリジナルディスクである旨を示すことになる。
【００２４】
また、例えばｂ２のビットのみを、コピーを禁止又は禁止しない旨を指示するビットＣＭＭとして割り当てるようにすることも考えられる。
【００２５】
なお、上述のようにセクタ単位毎にコピー管理情報を入れるのは、例えばいわゆるＣＤ−ＲＯＭのような用途、すなわち、１枚のディスク内に異なるカテゴリーのビデオ信号が何種類か入っていて、一元管理されるものでない場合にも対応できるようにするために、ディスク全面ではなくて、各々のカテゴリーに対応できるようにディスク内に分割した状態で配置するためである。また、セクタではなく、所定のブロック単位毎にコピー管理情報を付加することも可能である。
【００２６】
上記コピー管理情報付加回路により上記コピー管理情報が付加されたデータは、エンコーダ／変調回路６に送られる。当該エンコーダ／変調回路６は、供給されたデータに対して、誤り訂正符号化処理としてデータ遅延及びパリティ計算を行ってパリティを付加し、所定の変調方式に従って、例えば８ビットデータを１６チャンネルビットの変調データに変換し、さらに上記所定の変調方式の変調規則を破るいわゆるアウトオブルールのパターンの同期信号を所定のデータ量単位で付加し、これら処理後のデータを光ヘッド装置７に送る。
【００２７】
当該光ヘッド装置７は、回転サーボ制御がかけられているスピンドルモータ８によって回転するマスタディスクＭＤに対して、エンコーダ／変調回路６から供給されたデータに基づいて駆動されるレーザ光を照射することにより、光学的な記録を行う。これにより、データ記録がなされたマスタディスクＭＤの作製が完了する。
【００２８】
ここで、上記スクランブル回路９は、例えば図３に示すような構成にて実現さるものである。
【００２９】
この図３において、当該スクランブル回路９には、１５ビットのシフトレジスタを用いたいわゆるパラレルブロック同期タイプのスクランブラを用いることができる。このスクランブラのデータ入力用の端子４５には、ＬＳＢ（最下位ビット）が時間的に先となる順序、いわゆるＬＳＢファーストで、上記圧縮符号化回路２からの例えば後述する図５のデータ部や図６のＴＯＣデータ部の２０４８バイトにエラーディテクションコード（ＥＤＣ）の４バイトを付加したデータが入力される。スクランブル用の１５ビットのシフトレジスタ４１は、排他的論理和（ＥｘＯＲ）回路４２を用いて生成多項式ｇ（ｘ）＝ｘ１５＋ｘ＋１に従ったフィードバックがかけられ、１５ビットのシフトレジスタ４１は、前記図２に示したようなコピー管理情報のうちの前記ビットＣＭＭのビットｂ２，ｂ１，ｂ０（１，１，１、又は０，１，１）に応じてプリセット値（あるいは初期値）が可変設定されるようになっており、セクタ単位でプリセット値が切り換えられるようになっている。なお、上記プリセット値は、上記ビットＣＭＭのみで可変設定されるものの他に、当該ビットＣＭＭ及び前記ビットＣＭＣの両方によって可変設定されるものとすることもできる。シフトレジスタ４１からの出力データと端子４５からの入力データとは、上記ＥｘＯＲ回路４３により排他的論理和がとられて、スクランブル処理されたデータとして端子４４より取り出され、図１のコピー管理情報付加回路に送られる。
【００３０】
次に、レプリケーション工程４０においては、上述したようにして作製したマスタディスクＭＤからプレス加工により複数の光ディスクＤを製造する。
【００３１】
当該レプリケーション工程４０によりマスタディスクＭＤから複製されたディスクＤは、図４に示すように、中央にセンタ孔１０２を有しており、この光ディスクＤの内周から外周に向かって、プログラム管理領域である上記ＴＯＣ領域となるリードイン領域１０３と、プログラムデータが記録されるプログラム領域１０４と、プログラム終了領域、いわゆるリードアウト領域１０５とが形成されたものとなる。この例の場合には、上記プログラム領域１０４に上述した圧縮符号化等の処理が施されたビデオデータが記録され、また、当該ビデオデータの時間情報等が上記リードイン領域１０３で管理される。上述したコピー管理情報は、上記リードイン領域１０３のＴＯＣのセクタ内、及び／又は、プログラム領域１０４内のデータセクタのヘッダ内に記録される。
【００３２】
ここで、上記プログラム領域１０４内のデータセクタの構造は、図５に示すように、４バイト（以下１バイトは８ビットである）のデータシンク部ＤＳと、１６バイトのヘッダ部ＤＨと、２０４８バイトのデータ部ＤＤと、４バイトのＥＤＣ（エラー・ディテクション・コード）部ＤＥとからなり、前記コピー管理情報（１バイト）ＤＰはヘッダ部ＤＨ内に配される。また、リードイン領域１０３のＴＯＣのセクタの構造は、図６に示すように、４バイト（１バイトは８ビット）のデータシンク部ＴＳと、１６バイトのヘッダ部ＴＨと、２０４８バイトのＴＯＣデータ部ＴＤと、４バイトのＥＤＣ（エラー・ディテクション・コード）部ＴＥとからなり、前記コピー管理情報（１バイト）ＴＰはＴＯＣデータ部ＴＤ内に配される。
【００３３】
もちろん、上記コピー管理情報ＴＰは、ファイルなどのアドレスと組み合わせてファイル単位のコピー管理情報を持つ（ファイルの位置，大きさとコピー管理情報のペア）こともできるし、バイト数（ビット数）を増やして前記コピー管理情報ＤＰより詳細なコピー管理情報を持つこともできる。
【００３４】
上述したような光ディスクＤはオリジナルディスクとして、その後例えば販売或いはレンタル等されてユーザの手元に配布されることになる。上記オリジナルの光ディスクＤは、ユーザにより例えば家庭内で再生されることになる。
【００３５】
すなわち、図１に戻って、光ディスクＤの家庭用等の再生装置５０では、サーボ回路１３により回転サーボ制御がなされるスピンドルモータ１１により回転される光ディスクＤから、光ヘッド装置１０によって信号（ＲＦ信号）を読み取る。当該光ヘッド装置１０により光ディスクＤから読み取られたＲＦ信号は、ＲＦアンプ１２に送られる。当該ＲＦアンプ１２では、上記ＲＦ信号を２値化して光ディスクＤに記録されていた信号を取り出し、この２値化された信号を復調回路１４に送ると共に、上記ＲＦ信号から同期信号を分離し、さらにトラッキングエラー信号やフォーカスエラー信号等を取り出してサーボ回路１３に送る。サーボ回路１３では、これら信号に基づいてスピンドルモータ１１の回転制御及び光ヘッド装置１０の上記トラッキングサーボ，フォーカスサーボ等を行う。
【００３６】
上記復調回路１４では、先に施された変調を復調する処理、例えば１６チャンネルビットを８ビットのデータに変換する処理が行われる。当該復調回路１４からのディジタルデータは、エラー訂正回路１５に送られ、先に施された誤り訂正符号化の逆処理が施される。このエラー訂正回路１５から出力されたディジタルビデオデータは、セクタ分解回路１６によりセクタに分解され、後述するコピー管理情報読み取り回路とそれに続くディ・スクランブル回路３１とを通って、伸長復号化回路２１に送られる。
【００３７】
この伸長復号化回路２１では、前記ＭＰＥＧ２の規則に則って圧縮符号化されているデータに対して、伸長復号化処理を施す。当該伸長復号化されたディジタルデータは、Ｄ／Ａ変換回路２３にてアナログビデオ信号に変換され、後述するミックス回路２４を介して、ＮＴＳＣエンコーダ２５にてテレビジョン標準放送方式のいわゆるＮＴＳＣ方式のアナログ信号になされた後にＮＴＳＣ出力端子２８を介して出力されるか、または、アナログ出力端子２９からアナログビデオ信号として出力されるようになっている。
【００３８】
また、当該伸長復号化回路２１からのディジタルデータは、後述するディジタルスクランブル回路３１を通り、ディジタルインターフェイス回路２６を介してディジタルビデオデータとしてディジタル出力端子２７から出力されるようになっている。
【００３９】
一方、コピー管理情報読み取り回路は、前述したようなデータセクタのヘッダから前記付加されたコピー管理情報を読み取る読み取り回路１８と、ＴＯＣのセクタのＴＯＣデータ領域から前記付加されたコピー管理情報を読み取る読み取り回路１７とを有してなり、上記セクタ分解回路１６からのデータより読み取ったコピー管理情報を、コピー管理情報判別回路１９に送る。なお、コピー管理情報がＴＯＣとデータセクタのヘッダの何れか一方のみに付加されるものである場合には、それに対応して上記読み取り回路１７，１８も何れか一方のみとなる。
【００４０】
コピー管理情報判別回路１９は、コピー管理情報の前記図２のビットＣＭＭがアナログ及びディジタルコピーを禁止又はディジタルコピーのみを禁止する旨の何れを指示しているか、また前記図２のビットＣＭＣがコピーの世代制限が何世代目を指示しているかの状態判別を行い、これら判別結果に応じた判別信号を出力する。この判別信号は、後述するプロテクト信号生成回路２０に送られる。また、コピー管理情報判別回路１９は、前記コピー管理情報をディ・スクランブル回路３１に送る。
【００４１】
上記ディ・スクランブル回路３１は前記図３のスクランブル回路９と同様な構成を有するものであり、このディ・スクランブル回路３１では、前記コピー管理情報判別回路１９からのコピー管理情報に基づいたプリセット値（あるいは初期値）が可変設定される。これにより、当該ディ・スクランブル回路３１では、前記スクランブル回路９でのスクランブル処理を解くディ・スクランブル処理、すなわち暗号復号化が行われる。言い換えれば、当該ディ・スクランブル回路３１は、前記コピー管理情報読み取り回路がデータセクタのヘッダやＴＯＣのセクタのＴＯＣデータ領域から読み取り、コピー管理情報判別回路１９を介して供給されたコピー管理情報がなければ、前記スクランブルを解くことができない。このディ・スクランブル回路３１にてスクランブルが解かれたデータが、前記伸長復号化回路２１に送られることになる。なお、上記ディ・スクランブル回路３１のプリセット値（或いは初期値）は、上記コピー管理情報にて指示される鍵情報に基づいて設定されるものとすることも可能である。
【００４２】
また、上記伸長復号化回路２１からのディジタルデータが供給されたディジタルスクランブル回路３２では、前記スクランブル回路９と同様に、コピー管理情報に基づいて上記伸長復号化回路２１からのディジタルビデオデータにディジタルスクランブル処理を施す。これにより、上記ディジタルスクランブル回路３２からは、スクランブル処理が施されたディジタルビデオデータが出力され、当該データがディジタルインターフェイス回路２６から出力されることになる。なお、このディジタルスクランブル回路３２においても、上記コピー管理情報にて指示される鍵情報に基づいてディジタルスクランブル処理を行うものとすることも可能である。
【００４３】
ところで、光ディスク（すなわちディジタル記録媒体）に記録されていた信号を再生したディジタルデータを、別のディジタル記録媒体にディジタルデータのまま記録するいわゆるディジタルダビングするような場合において、不法コピーの防止を目的として、前述した従来の技術にて述べたように所定のＩＤビットをコピー管理情報として光ディスクに記録しておくような手法が存在するが、当該コピー管理情報すなわちＩＤビットを読み飛ばすようにすれば不法コピーが容易に実現できることになる。
【００４４】
これに対して、上記本発明の構成例によれば、不法コピーを目的として、上記データセクタのヘッダ内やＴＯＣのデータ領域から上記コピー管理情報を読み飛ばしたとしても、光ディスクＤに記録されているディジタルデータには当該コピー管理情報に基づくスクランブル処理が施されているので当該スクランブルを解くことができなくなり、したがって不法コピーの防止が可能となっている。さらに、本発明の構成例によれば、ディジタルスクランブル回路３２において、前記コピー管理情報に基づいたディジタルスクランブル処理を施すようにもしているため、ディジタルダビングの場合には当該ディジタルスクランブル処理が施されたディジタルデータをコピーすることになり、このスクランブルを解くには前記コピー管理情報が必要となるので、このことからも不法なコピー防止が実現可能となっている。
【００４５】
なお、上記例では、ディジタルインターフェイス回路２６の前段にディジタルスクランブル回路３２を設けるようにしているが、当該スクランブル回路３２の代わりにスイッチ３３を設けることも可能である。この場合、上記コピー管理情報の内容がコピーの禁止を示しているときに当該スイッチ３３をＯＦＦするように切換制御すれば、ディジタルインターフェイス回路２６からはディジタルビデオデータの出力がなされないことになり、このときもディジタルダビングにおける不法コピーを防止することが可能となる。なお、スイッチ３３を設けるようにした場合、前記コピー管理情報判別回路１９から当該スイッチ３３に送られる信号は、コピー管理情報に応じたスイッチ切換制御信号となる。
【００４６】
また、当該ディジタルダビングにおいて上記コピー管理情報の世代制限のビットＣＭＣ が、例えば現世代のコピーを許可しているときには、上記ディジタルスクランブル回路３２においてディジタルスクランブル処理を行わず（スイッチ３３を設けた場合には当該スイッチ３３をＯＮにする）、そのままディジタルデータを出力するような構成とすることも可能である。ただし、前述した図２の例ではビットＣＭＭ がいずれにしてもディジタルコピーを禁止する値となるため、この図２の例では上記スイッチ３３がＯＮになることはない。
【００４７】
ここで、図７は、上記スクランブルやディ・スクランブルを行わず、スイッチ２２によってコピーを禁止する場合の例を示している。
【００４８】
この図７の例では、マスタリング工程３０において、圧縮符号化回路２にて圧縮されると共にセクタ化されたデータは、そのままコピー管理情報付加回路（ＴＯＣ内にコピー管理情報を付加するための付加回路４及びデータセクタのヘッダ内にコピー管理情報を付加するための付加回路５）に送っている。また、再生装置５０において、セクタ分解回路１６によりセクタに分解されたディジタルビデオデータは、コピー管理情報読み取り回路（ＴＯＣデータ領域から及びデータセクタのヘッダからそれぞれコピー管理情報を読み取るための読み取り回路１７及び１８）を通って、そのまま伸張復号化回路２１に送られており、伸張復号化回路２１からのディジタルデータは、スイッチ２２を通り、ディジタルインターフェース回路２６に送られている。コピー管理情報判別回路１９からの判別信号は、プロテクト信号生成回路２０に送られると共に、切換制御信号としてスイッチ２２に送られる。他の構成及び作用は、上述した図１の例と同様であるため、対応する部分に同じ指示符号を付して説明を省略する。
【００４９】
この図７の例では、スイッチ２２は、上記判別結果がコピーの禁止を示しているときには、その判別結果に応じた切換制御信号によりＯＦＦになされる。なお、上記コピー管理情報の世代制限のビットＣＭＣが、オリジナルディスクではなくかつコピーが禁止される世代である旨を示しているときにも、コピー管理情報判別回路１９からは上記スイッチ２２をＯＦＦにする切換制御信号が出力される。
【００５０】
これにより、ディジタルインターフェイス回路２６からはディジタルビデオデータの出力がなされないことになり、したがって、光ディスクＤ（すなわちディジタルディスク媒体）に記録されていた信号を再生したディジタルデータを、別のディジタルディスク媒体にディジタルデータのまま記録するいわゆるディジタルダビングにおける不法コピーを防止することが可能となる。
【００５１】
一方、本発明の実施の形態の構成例では、例えばオリジナルのディジタル記録媒体に記録されたディジタルビデオデータを再生して一度アナログビデオ信号にＤ／Ａ変換し、このＤ／Ａ変換されたアナログ信号をアナログ出力，アナログ入力端子を有するアナログインターフェイスを介して伝送し、その後このアナログビデオ信号を再度Ａ／Ｄ変換してディジタルビデオデータに戻してディジタル記録したり、上記アナログビデオ信号をそのままアナログ記録するような、一旦アナログインターフェイスを介してディジタル的又はアナログ的にコピーを行う場合においても、上記プロテクト信号生成回路２０にて後述する図８，図１０，図１２に示すようなプロテクト信号を生成し、これをミックス回路２４にてアナログのビデオ信号に混合することによって、不法なコピーを防ぐことができるようにしている。
【００５２】
先ず、図８及び図９を用いて、ディジタル記録媒体に記録されたディジタルビデオデータを再生して一度アナログビデオ信号にＤ／Ａ変換し、このアナログビデオ信号をアナログインターフェイスを介した後に、再度Ａ／Ｄ変換してディジタルビデオデータに戻し、これをディジタル記録するような場合における不法コピーの防止について説明する。
【００５３】
なお、以下の説明では、上記コピー管理情報の世代制限のビットＣＭＣが、オリジナルから１世代のみのコピーを許す（すなわちオリジナルから２世代目以降はコピーされたデータを再生することができない）ものである場合を例に挙げて説明する。
【００５４】
すなわち、図９に示す光ディスクＤの再生装置５０において、コピー管理情報判別回路１９では、前記コピー管理情報の前記ビットＣＭＭがアナログ及びディジタル又はディジタルのみコピーを禁止する旨を指示しているか、また前記ビットＣＭＣがコピーの世代制限が何世代目を指示しているかの判別を行い、これら判別結果に応じた判別信号がプロテクト信号生成回路２０に送られる。
【００５５】
ここで、上記コピー管理情報のビットＣＭＭがアナログコピーの禁止を示しておらず、かつ上記世代制限のビットＣＭＣがオリジナルディスクであることを示しているときに、プロテクト信号生成回路２０内のプロテクトコード信号生成回路７４からは、その旨を複数ビットでコード化して示すプロテクトコード信号ＰＣＳが生成出力される。
【００５６】
このプロテクトコード信号ＰＣＳが上記ミックス回路２４に送られる。このミックス回路２４では、図８に示すようにアナログビデオ信号の垂直帰線消去期間の所定の水平期間に上記プロテクトコード信号ＰＣＳを混合する。なお、当該プロテクトコード信号ＰＣＳは、例えば奇数フィールドでは２０Ｈ（Ｈは水平期間を示す）目、偶数フィールドでは２８３Ｈ目の水平期間に挿入する。また、上記アナログビデオ信号に混合されたプロテクトコード信号ＰＣＳは、例えば１４ビットのデータと６ビットの誤り検出符号（ＣＲＣＣ）とからなり、上記１４ビットのデータ内の４ビットのヘッダに続く８ビットが前記コピー管理情報と同様に割り当てられているものである。このプロテクトコード信号が付加されたアナログビデオ信号がアナログ出力端子２９から出力される。
【００５７】
上記再生装置５０のアナログ出力端子２９と、映像記録再生装置の一例としての記録媒体に記録可能な光ディスクＲＤを用いる光ディスク記録再生装置８０のアナログ入力端子８１とを接続し、上記再生装置５０のアナログ出力端子２９から出力される上記プログラムコード信号が付加されたアナログビデオ信号を、ディスク記録再生装置８０にてＡ／Ｄ変換してディジタルビデオデータとし、このディジタルビデオデータを光ディスクＲＤにディジタル記録するものとする。すなわち、この場合の記録は、オリジナルディスクからの１世代目のコピーとなる。
【００５８】
当該光ディスク記録再生装置８０では、上記アナログ入力端子８１を介して供給されたアナログビデオ信号をＡ／Ｄ変換回路８２によりディジタルビデオデータに変換する。当該ディジタルビデオデータは、圧縮符号化回路８３に送られ、ここでＭＰＥＧ２規格の圧縮符号化が施されると共に、所定データ量単位例えば２０４８バイト単位でセクタ化される。当該圧縮符号化回路８３にて圧縮符号化されてセクタ化されたデータは、スクランブル回路８５に送られる。
【００５９】
一方、上記アナログ入力端子８１に供給された上記プロテクトコード信号が付加されたアナログビデオ信号は、プロテクトコード信号検出回路８８にも送られるようになっている。当該プロテクトコード信号検出回路８８では、前記図８のようにアナログビデオ信号の垂直帰線消去期間に付加されたプロテクトコード信号の有無及び当該プロテクトコード信号の状態を検出し、当該検出したプロテクトコード信号に基づいて新たにコピー管理情報を生成する。
【００６０】
ここで、このときの当該プロテクトコード信号検出回路８８に供給されたプロテクトコード信号は、オリジナルディスクからのものであることを示し、前述したようにオリジナルから１世代目のコピーについては許されている。
【００６１】
したがって当該プロテクトコード信号検出回路８８は、コピー管理情報の世代制限のビットＣＭＣ を、オリジナルディスクから１世代目であることを示す値に変更して出力する。
【００６２】
上記プロテクトコード信号検出回路８８からのコピー管理情報は、スクランブル回路８５とコピー管理情報付加回路に送られる。
【００６３】
上記スクランブル回路８５では、前述の図１のスクランブル回路９と同様に上記プロテクトコード信号検出回路８８からのコピー管理情報に基づいて、上記圧縮符号化回路８３からの出力データに対してスクランブルを施す。当該スクランブル回路８５からのスクランブル処理されたデータがコピー管理情報付加回路に送られる。なお、このスクランブル回路８５の代わりに、暗号化回路を用いるようにしてもよい。
【００６４】
コピー管理情報付加回路は、前述同様に、上記ＴＯＣ内に上記コピー管理情報を付加するための付加回路８６と、上記データセクタのヘッダ内にコピー管理情報を付加するための付加回路８７とを有するものである。このコピー管理情報付加回路により前述同様にコピー管理情報が付加された上記スクランブル処理されたデータは、エンコーダ／変調回路８９に送られる。
【００６５】
当該エンコーダ／変調回路８９は、供給されたデータに対して、誤り訂正符号化処理としてデータ遅延及びパリティ計算を行ってパリティを付加し、所定の変調方式に従って、例えば８ビットデータを１６チャンネルビットの変調データに変換し、さらに上記所定の変調方式の変調規則を破るいわゆるアウトオブルールのパターンの同期信号を所定のデータ量単位で付加し、これら処理後のデータを光ヘッド装置９０に送る。
【００６６】
当該光ヘッド装置９０は、回転サーボ制御がかけられているスピンドルモータ９１によって回転する記録可能な光ディスクＲＤに対して、エンコーダ／変調回路８９から供給されたデータに基づいて駆動されるレーザ光を照射することにより光学的な記録を行う。なお、この光ディスクＲＤへの記録はいわゆる光磁気的な記録とする場合も可能であり、当該光磁気的な記録を行う場合には、光ディスクＲＤを挟んで上記光ヘッド装置９０と対向する位置に磁気ヘッドを設け、光ディスクＲＤ上に形成された磁性膜をキュリー温度以上に上げるのに十分なパワーのレーザ光を光ヘッド装置９０から照射すると共に、磁気ヘッドを上記エンコーダ／変調回路８９からの信号に基づいて駆動するようにする。これにより、光ディスクＲＤには、オリジナルディスクからのディジタルビデオデータを、一旦アナログインターフェイスを介してから再度生成したディジタルビデオデータがコピーされたことになる。
【００６７】
次に、上述したようにしてオリジナルディスクからディジタルビデオデータがコピーされた光ディスクＲＤを再生し、一度アナログビデオ信号にＤ／Ａ変換し、このアナログビデオ信号を再度Ａ／Ｄ変換してディジタルビデオデータに戻し、これをさらに別の記録可能な光ディスクＲＤに記録する（すなわち２世代目のコピーを行う）ようにした場合には、以下のようにすることで、当該２世代目のコピーがなされたとしても当該光ディスクＲＤからはデータを再生することができないようにしている。すなわち例えば、１世代目のコピーがなされたディスクＲＤを再度図９の再生装置５０に装填して再生を行い、この再生により得られたアナログビデオ信号を、図９の光ディスク記録再生装置８０にて再度コピーする（すなわち２世代目のコピーを行う）ような場合には、以下のようになされる。
【００６８】
すなわち、再生装置５０において、上記１世代目のコピーがなされた光ディスクＲＤから読み出されたデータは、前述同様にしてコピー管理情報の読み取り回路１７，１８に送られ、これら読み取り回路１７，１８により取り出されたコピー管理情報は、コピー管理情報判別回路１９に送られる。
【００６９】
当該コピー管理情報判別回路１９からの判定信号はプロテクト信号生成回路２０に送られ、このプロテクト信号生成回路２０からプロテクトコード信号ＰＣＳが出力されてミックス回路２４に送られる。当該ミックス回路２４には、前述同様に、ディ・スクランブル回路３１にてディ・スクランブル処理された後に伸長復号化回路２１にて処理され、さらにＤ／Ａ変換回路２３でＤ／Ａ変換処理されたアナログビデオ信号が供給されている。上記プロテクトコード信号ＰＣＳは、当該ミックス回路２４にて上記アナログビデオ信号に混合され、当該プロテクトコード信号ＰＣＳが混合されたアナログビデオ信号が、アナログ出力端子２９を介して出力される。
【００７０】
上記再生装置５０のアナログ出力端子２９は、光ディスク記録再生装置８０のアナログ入力端子８１と接続されており、上記再生装置５０のアナログ出力端子２９から出力される上記プログラムコード信号が付加されたアナログビデオ信号が、当該ディスク記録再生装置８０のアナログ入力端子８１を介して入力される。
【００７１】
当該光ディスク記録再生装置８０では、前述同様に、上記アナログ入力端子８１を介して供給されたアナログビデオ信号をＡ／Ｄ変換回路８２によりディジタルビデオデータに変換し、さらに圧縮符号化回路８３にて圧縮符号化とセクタ化とが行われ、このデータがスクランブル回路８５に送られる。
【００７２】
一方、上記アナログ入力端子８１に供給された上記プロテクトコード信号が付加されたアナログビデオ信号は、プロテクトコード信号検出回路８８にも送られる。
【００７３】
ここで、このときの当該プロテクトコード信号検出回路８８に供給されたプロテクトコード信号は、１世代目のコピーがなされた光ディスクからのものであることを示している。このときの上記プロテクトコード信号検出回路８８は、コピー管理情報の世代制限のビットＣＭＣを、オリジナルディスクから２世代目であることを示す値に変更して出力する。
【００７４】
上記プロテクトコード信号検出回路８８からのコピー管理情報は、スクランブル回路８５とコピー管理情報付加回路に送られる。前述同様にスクランブル回路８５では上記プロテクトコード信号検出回路８８からのコピー管理情報に基づいて圧縮符号化回路８３からの出力データに対してスクランブルを施し、上記コピー管理情報付加回路では当該スクランブル回路８５からのスクランブル処理されたデータに上記コピー管理情報を付加して出力する。
【００７５】
なお、上記スクランブル回路８５の代わりに暗号化回路を用いる場合には、上記プロテクトコード信号検出回路８８は、当該暗号化回路において暗号化を行うような制御を行わせる制御信号として出力する。このとき、この制御信号を暗号化の鍵情報とすることもできる。これにより、当該暗号化回路からは、暗号化されたディジタルビデオデータが出力されることになる。
【００７６】
上記コピー管理情報付加回路から出力されたデータは、エンコーダ／変調回路８９にて誤り訂正符号化処理と変調データ処理等が施された後、光ヘッド装置９０或いは磁気ヘッドに送られ、光ディスクＲＤに対して前述同様に光学的或いは光磁気的な記録が行われる。
【００７７】
次に、上述のような２世代目のコピーがなされた光ディスクＲＤは、当該光ディスク記録再生装置８０の光ヘッド装置９０により読み出され、この読み出されたデータが当該光ディスク記録再生装置８０の再生系に送られる。
【００７８】
再生系のディジタル再生回路９２は、前記再生装置５０と同様のＲＦ回路１２，復調回路１４，エラー訂正回路１５，セクタ分解回路１６，伸長復号化回路２１等の主要構成要素と共に、上記コピー管理情報読み取り回路，コピー管理情報判別回路１９，ディ・スクランブル回路３１等を有するものである。
【００７９】
当該ディジタル再生回路９２のコピー管理情報判別回路では、当該光ディスクＲＤから読み出されたコピー管理情報の世代制限のビットＣＭＣの判別を行うことで、当該光ディスクＲＤは２世代目のコピーがなされたものであることを知る。このとき、当該ディジタル再生回路９２のコピー管理情報判別回路１９は、ディ・スクランブル回路３１に対して例えばコピー管理情報を出力しない（或いはディ・スクランブルできないようなコピー管理情報を出力する）ようにする。
【００８０】
これにより、当該ディジタル再生回路９２内の伸長復号化回路２１に送られたデータはディ・スクランブル処理がなされていないデータとなり、したがって、当該データを当該伸長復号化回路２１にて伸長復号化処理したとしても、正常なディジタルビデオデータは得られないことになる。このため、当該ディジタル再生回路９２から出力されたデータをＤ／Ａ変換回路９３にてアナログ信号に変換し、アナログ出力端子９４を介して例えばテレビジョン受像機７１に送ったとしても、正常な映像は得られないことになる。
【００８１】
上述したようなことから、上記構成によれば、オリジナルのディジタル記録媒体に記録されたディジタルビデオデータを再生して一度アナログビデオ信号にＤ／Ａ変換し、このアナログビデオ信号を再度Ａ／Ｄ変換してディジタルビデオデータに戻してディジタル記録するような場合において、世代制限を可能とし、不法なコピーを防ぐことが可能となる。すなわち、上述の例では２世代目も光ディスクＲＤにデータを記録することは可能であるが、この記録されたデータはスクランブルが解かれていないものであるため、これを再生してテレビジョン受像機７１に映したとしても正常な映像が得られないため、結果として不法コピーを防止したことになる。
【００８２】
また、このアナログインターフェイスを介したディジタルコピーの場合においても、前述同様に、再生装置５０における光ディスクＲＤの再生の際に、不法コピーを目的として、コピー管理情報を読み飛ばすようにしたとしても、光ディスクＲＤに記録されているディジタルデータには当該コピー管理情報に基づくスクランブル処理が施されているので、ディ・スクランブル回路３１においてはスクランブルを解くことができなくなり、また、プロテクトコード信号生成回路７４においてもコピー管理情報に基づくプロテクトコード信号を生成することができなくなるため、不法コピーの防止が可能となる。すなわち、光ディスク記録再生装置８０側では、プロテクトコード信号に基づいたコピー管理情報の生成ができなくなるため、スクランブル回路８５でスクランブルを解くことができなくなり、したがって不法コピーを防止することが可能となる。また、不法コピーを目的とした場合、コピー管理情報を読み飛ばすのではなく、例えばプロテクトコード信号をマスク等することも考えられるが、この場合も光ディスク記録再生装置８０のスクランブル回路８５でスクランブルを解くことができなくなるため、不法コピーを防止することができる。
【００８３】
なお、上述の例では、オリジナルディスクから１世代目のコピーについては許す例を挙げているが、前記コピー管理情報の世代制限のビットＣＭＣを１世代目のコピーも禁止する値とすれば、オリジナルディスクからの１世代目のコピーをも防止できることになる。
【００８４】
さらに、上述の例では、記録再生装置８０として記録可能な光ディスクＲＤを使用する例を説明しているが、ビデオテープＴＰに対してディジタルビデオデータを記録再生可能な装置であっても同様のコピー防止ができることは言うまでもない。
【００８５】
次に、上述の例では、オリジナルのディジタル記録媒体に記録されたディジタルビデオデータを再生して一度アナログビデオ信号にＤ／Ａ変換し、このアナログビデオ信号を再びディジタルビデオ信号にＡ／Ｄ変換してディジタル記録するような場合について説明したが、アナログビデオ信号をそのままアナログ記録するようなときにも、不法コピーを防止することができる。
【００８６】
以下、図１０及び図１１を用いて、例えばオリジナルのディジタル記録媒体に記録されたディジタルビデオデータを再生して一度アナログビデオ信号にＤ／Ａ変換し、このアナログビデオ信号を例えば従来のアナログビデオテープレコーダ（アナログＶＴＲ）にてアナログ記録するような場合における不法コピーの防止について説明する。
【００８７】
すなわちこの場合、図１１に示す光ディスクＤの再生装置５０では、コピー管理情報のビットＣＭＭがアナログコピーの禁止を示しており、上記判別回路１９からの判別信号が当該アナログコピーの禁止に対応しているとき、プロテクト信号生成回路２０内のプロテクトパルス生成回路７２にて白ピーク信号であるアナログプロテクトパルスＡＰＰを生成し、当該アナログプロテクトパルスＡＰＰを、図１１に示すように上記ミックス回路２４にてアナログビデオ信号の垂直帰線消去期間の所定期間に混合するようにしている。さらにこれらと共に、プロテクトパルス生成回路７２では、コピー管理情報が供給されないときにもアナログプロテクトパルスＡＰＰを生成するものとする。なお、上記コピー管理情報にて示される世代制限のビットＣＭＣ が今現在の世代のアナログコピーを禁止する旨を指示しているときにも、コピー管理情報判別回路１９からはアナログコピーの禁止に対応する判別信号が出力される。このようなアナログコピーを禁止するシステムをＡＰＳ（Analog Protection System）という。
【００８８】
上記ミックス回路２４からの出力信号は、アナログビデオ信号の垂直帰線消去期間内に、同期パルスに続き、所定順序の擬似同期パルスと正パルスとの複数の対が上記ビデオ信号に付加されたものとなっている。例えば、図１０の具体例では、１ライン（１水平期間）中の２つの等化パルスＰ１０の間に、擬似同期パルスＰ１２と正パルス（例えば白ピークパルス）Ｐ１４とのパルス対が複数対挿入されている。なお、このような複数の疑似同期パルスと複数の白ピーク信号との組み合わせ信号を録画スクランブル信号として使用するものは、特開昭６１−２８８５８２号公報にて開示されている。この擬似同期パルス（ＰＳＰ：Pseudo-Sync Pulse） を用いたＡＰＳを、ＰＳＰシステムともいう。
【００８９】
このような録画スクランブル信号により、一般のビデオテープレコーダ（ＶＴＲ）で正常な録画ができなくなる理由について簡単に説明する。
【００９０】
上記再生装置５０のアナログ出力端子２９とアナログＶＴＲ６０のアナログ入力端子６１とを接続し、上記再生装置５０のアナログ出力端子２９から出力される上記録画スクランブル信号を付加したアナログビデオ信号を、アナログＶＴＲ６０にてビデオテープＴＰに記録するとする。
【００９１】
一般に、上記アナログＶＴＲ６０は、自動振幅調整手段あるいは自動利得制御手段であるＡＧＣ（Automatic Gain Control）回路６２を有しており、このＡＧＣ回路６２により、アナログ入力端子６１を介して入力されたアナログビデオ信号に対して自動的な振幅調整を行うようになされている。このようなＡＧＣ回路６２を備えるアナログＶＴＲ６０に対して、上記図１０に示したようなアナログビデオ信号を供給すると、上記ＡＧＣ回路６２は上記垂直帰線消去期間に付加された白ピーク信号に反応してしまい、本来のビデオ信号の振幅を狭めてしまうようになる。すなわち、一般的なビデオテープレコーダのＡＧＣ回路６２は、上記等化パルスＰ１０と擬似同期パルスＰ１２とを識別できず、このため、ＡＧＣ回路６２は付加された正パルスＰ１４のレベルをサンプルし、入力信号レベルが通常の数倍あると誤って認識して、利得を低減するような制御を行う。したがって、このＡＧＣ回路６２にて自動振幅調整がなされたアナログビデオ信号を、アナログ記録回路６５を介してビデオテープＴＰに記録し、その後にこのビデオテープＴＰをアナログ再生回路６７にて再生してアナログ出力端子６８を介してテレビジョン受像機７０にて映すと、再生画像の明暗に異常をきたす等の非常に見苦しい映像となる。
【００９２】
これにより、オリジナルのディジタル記録媒体に記録されたディジタルビデオデータを再生して一度アナログビデオ信号にＤ／Ａ変換し、このアナログビデオ信号を従来のアナログＶＴＲにてアナログ記録するような場合における不法コピーの防止が、世代制限を含めて可能となる。
【００９３】
また、このアナログインターフェイスを介したアナログコピーの場合においても、前述同様に再生装置５０における光ディスクＲＤの再生の際に、不法コピーを目的としてコピー管理情報を読み飛ばすようにしたとしても、光ディスクＲＤに記録されているディジタルデータには当該コピー管理情報に基づくスクランブル処理が施されているので、ディ・スクランブル回路３１においてはスクランブルを解くことができなくなり、また、プロテクトコード信号生成回路７４においてはコピー管理情報が供給されないときにもプロテクトパルスを生成するようにしているため、不法コピーの防止が可能となる。
【００９４】
なお、図１１のアナログＶＴＲ６０の例では、アナログプロテクトパルスＡＰＰによるＡＧＣ回路６２の反応を利用しているが、例えば当該アナログＶＴＲ６０に対して、上記アナログ入力端子６１を介して供給されたアナログビデオ信号からアナログプロテクトパルスＡＰＰを検出する検出回路６３を設けると共に、ＡＧＣ回路６２の例えば後段にスイッチ６４を設けるようにし、上記アナログプロテクトパルス検出回路６３でアナログプロテクトパルスＡＰＰを検出したときに、上記スイッチ６４をＯＦＦにするような構成とすることでも、不法コピーを禁止することが可能となる。すなわち、上記スイッチ６４がＯＦＦになれば、アナログ入力端子６１に供給されたアナログビデオ信号をビデオテープＴＰに記録することができなくなるため、不法なコピーを防止することが可能となる。
【００９５】
また、上述の構成例では、ビデオテープＴＰを使用するアナログＶＴＲを用いて説明したが、アナログビデオディスクＡＤを用いるアナログビデオディスク記録再生装置であっても、上述した本発明のコピー防止の手法を利用することができることは言うまでもない。
【００９６】
さらに、本発明では、図１２及び図１３に示すように、前述したようなアナログビデオ信号を再度Ａ／Ｄ変換し、アナログインターフェイスを介して伝送し、その後これをディジタルビデオデータに戻してディジタル記録するような場合と、上記アナログビデオ信号をアナログインターフェイスを介して伝送し、そのままアナログ記録するような場合の両方に対しても、不法なコピーを禁止することができる。
【００９７】
すなわち、図１３に示す光ディスクＤの再生装置５０において、コピー管理情報判別回路１９は、前記コピー管理情報の前記ビットＣＭＭ の状態判別を行う判別回路７１と、前記コピー管理情報のビットＣＭＣ の状態判別を行う判別回路７３とからなり、これら判別回路７１，７３からの判別信号がプロテクト信号生成回路２０に送られ、コピー管理情報がディ・スクランブル回路３１及びディジタルスクランブル回路３２に送られる。
【００９８】
上記ディ・スクランブル回路３１とディジタルスクランブル回路３２では前述同様な処理を行う。
【００９９】
また、プロテクト信号生成回路２０は、上記判別回路７１からの判別信号に基づいて前記アナログプロテクトパルスＡＰＰを生成するプロテクトパルス生成回路７２と、上記判別回路７３からの判別信号に基づいて前記プロテクトコード信号ＰＣＳを生成するプロテクトコード信号生成回路７４とからなるものである。これらプロテクトパルス生成回路７２からの前記アナログプロテクトパルスＡＰＰと、プロテクトコード信号生成回路７４からの前記プロテクトコード信号ＰＣＳとが、前記ミックス回路２４に送られる。
【０１００】
これにより、当該ミックス回路２４からは、図１２に示すように、アナログビデオ信号の帰線消去期間の所定期間に上記プロテクトコード信号ＰＣＳが混合されると共に、複数の疑似同期パルス（疑似等価パルス）上に複数の白ピーク信号が組み合わされた信号が出力されることになる。
【０１０１】
上記プロテクトコード信号ＡＰＰとアナログプロテクトパルスＡＰＣとが付加されたアナログビデオ信号がアナログ出力端子２９から出力される。
【０１０２】
上記再生装置５０のアナログ出力端子２９は、記録可能な光ディスクＲＤを用いる光ディスク記録再生装置８０のアナログ入力端子８１、及びアナログＶＴＲ６０のアナログ入力端子６１とに接続されることになり、上記アナログＶＴＲ６０では上記アナログビデオ信号をビデオテープＴＰにアナログ記録し、上記光ディスク記録再生装置８０では上記アナログビデオ信号をディジタルビデオデータに変換してから光ディスクＲＤに記録することになる。上記アナログＶＴＲ６０及び光ディスク記録再生装置８０での記録再生動作は前述同様であるため、ここではそれらの説明は省略する。ただし、光ディスク記録再生装置８０では、プロテクトコード信号検出回路８８において前記プロテクトコード信号ＰＣＳの検出の他にアナログプロテクトパルスＡＰＰの検出も行い、当該アナログプロテクトパルスＡＰＰを検出したときにはスクランブル回路８５でのスクランブル処理を行わせるようにすることにより、不法コピーを防止する。
【０１０３】
次に、本発明のさらに他の実施の形態について説明する。
上記図２に示したコピー管理情報の具体例や、図３に示したスクランブル回路の具体例、図５や図６に示すセクタフォーマットの具体例等は、他にも種々の具体例が考えられる。
【０１０４】
例えば、図１４は、コピー管理情報の他の具体例を示しており、ｂ７〜ｂ０の８ビットのうち、例えば上位側のｂ７及びｂ６のビットがコピーの世代を制限するコピー世代管理システムＣＧＭＳ（Copy Generation Management System） の情報ビットＣＭＣ として割り当てられ、次のｂ５及びｂ４のビットが例えば上述したＡＰＳ（Analog Protection System）のトリガービットＣＭＴ  として割り当てられ、次のビットｂ３がアナログソースか否かを示すビットＣＭＡ  として割り当てられている。残りのｂ２〜ｂ０は未定義である。ここで、上記ＣＭＣのビット（ｂ７，ｂ６）は、例えば（０，０）のときコピーフリー、（１，０）のとき１世代コピー可、（１，１）のときコピー禁止をそれぞれ示し、（０，１）は未使用となっている。上記ＡＰＳトリガービットＣＭＴ  のビット（ｂ５，ｂ４）は、例えば（０，０）のときオフを示し、（０，１）のとき上述したＰＳＰ（擬似同期パルス：Pseudo-Sync Pulse） をオンし、後述するスプリットバースト（あるいはカラーストライプ）をオフすることを示し、（１，０）のときＰＳＰをオンし、２ラインのスプリットバーストをオンすることを示し、（１，１）のときＰＳＰをオンし、４ラインのスプリットバーストをオンすることを示している。また、上記ＣＭＡ  のビットｂ３は、１のときアナログパッケージメディアを、０のときそれ以外をそれぞれ示している。
【０１０５】
上記ＡＰＳトリガービットＣＭＴ  の内容が上記ＰＳＰオンとは、上記図１０や図１２に示したようなアナログプロテクトパルスＡＰＰを垂直帰線消去期間内の所定期間、例えば１２Ｈ〜１９Ｈの間に挿入することを意味する。上記スプリットバーストのオンとは、水平帰線消去期間内の水平同期パルスの後の位置に設けられるカラーバーストを部分的に反転することを意味し、２ラインスプリットバーストオンとは、１７ライン毎に２ライン連続してカラーバースト反転を行うことを、また、４ラインスプリットバーストオンとは、２１ライン毎に４ライン連続してカラーバースト反転を行うことをそれぞれ意味する。なお、カラーバースト反転は、例えばカラーバースト信号の前半部分等の一部を反転したり位相を変化したりするような操作であり、このような反転スプリットカラーバーストによって、コピーされたカラービデオ信号に対して、カラーストライプ発生のようなカラー妨害を生じさせるものである。
【０１０６】
ここで、図１５は、上記反転スプリットカラーバーストＡＰＳを説明するための図であり、上述したカラーバースト反転が施されるラインにおいては、水平同期パルスＨＤの後の位置に配される色副搬送波（カラーサブキャリア）の基準信号となるカラーバーストＣＢの一部、例えば図中斜線部の位相が反転される。すなわち、標準的なＮＴＳＣ方式におけるカラーバースト区間ＣＮ  が例えば９サイクルであり、このカラーバースト標準区間ＣＮ  よりも前方位置にはプリ区間ＣＰ  として例えば２サイクル分のバースト信号が接続されて、全１１サイクルのカラーバーストとなっている。このプリ区間ＣＰ  の２サイクルとカラーバースト標準区間ＣＮ  内の前半部のフロント区間ＣＦ  の３．５サイクルとの５．５サイクルのバースト位相が反転され、残りのカラーバースト標準区間ＣＮ  内の後半部のバック区間ＣＢ  の５．５サイクルはそのままとされている。
【０１０７】
このような、一部位相反転されたカラーバースト信号は、例えば上記図１１や図１３のプロテクトパルス生成回路７２で生成してミックス回路２４に送り、上記２ラインスプリットバーストオンのときは、１７ライン毎に２ライン連続して位相反転カラーバーストを混合し、上記４ラインスプリットバーストオンのときは、２１ライン毎に４ライン連続して位相反転カラーバーストを混合するようにすればよい。
【０１０８】
なお、上記スプリットバーストの操作としては、カラーバーストの一部の位相を反転させるような１８０度の変化に限定されず、位相を９０度とか２７０度とか、あるいは任意の角度だけ変化させるようにしてもよい。また、変化させる区間は５．５サイクルに限定されず、任意に設定できる。
【０１０９】
次に、図１６は、上記図３に示したスクランブル回路の具体例の代わりとなるスクランブル回路の他の具体例を示している。この図１６の具体例では、スクランブル用の１５ビットのシフトレジスタ４１は、排他的論理和（ExOR）回路４２を用いて生成多項式ｘ１５＋ｘ４＋１ に従ったフィードバックがかけられる点が上記図３の具体例と異なっており、他の構成は同様であるため、対応する部分に同じ指示符号を付して説明を省略する。
【０１１０】
次に、上記図５や図６に示すセクタフォーマットの具体例の代わりに、図１７に示すようなセクタフォーマットを用いることができる。
【０１１１】
この図１７の例では、１セクタは、１行１７２バイトの１２行、すなわち２０６４バイトから成り、この中にメインデータ２０４８バイトを含んでいる。１２行の最初の行の先頭位置には、４バイトのＩＤ（識別データ）と、２バイトのＩＥＤ（ＩＤエラー検出符号）と、６バイトのＲＳＶ（予備）とがこの順に配置されており、最後の行の終端位置には、４バイトのＥＤＣ（エラー検出符号）が配置されている。
【０１１２】
上記ＩＤ（識別データ）の４バイトは、図１８に示すように、ＭＳＢ側の最初のバイト（ビットｂ３１〜ｂ２４）はセクタ情報から成り、残りの３バイト（ビットｂ２３〜ｂ０）はセクタ番号から成っている。セクタ情報は、ＭＳＢ側から順に、１ビットのセクタフォーマットタイプ、１ビットのトラッキング方法、１ビットの反射率、１ビットの予備、２ビットのエリアタイプ、２ビットの層番号の各情報から成っている。
【０１１３】
上記コピー管理情報については、このようなセクタフォーマットの所定位置に設けるようにすればよく、例えばデータ領域でのセクタフォーマットでは、上記６バイトのＲＳＶ内の１バイトを用い、ＴＯＣ領域でのセクタフォーマットではメインデータ部分の何バイトか何十バイトかをまとめてコピー管理情報用の領域とすればよい。
【０１１４】
なお、上述した構成例では、光ディスクやビデオテープへの記録再生を例に挙げて説明しているが、本発明はディジタルデータの伝送の際にも適用できる。例えば、上記コピー管理情報と同様の伝送制御情報の一部を、鍵情報として伝送するディジタルデータに暗号化（スクランブル）を施すと共に、この暗号化されたディジタルデータに付随して上記伝送制御情報を送信するようにすれば、不法コピーが防止できるようになる。この本発明の信号伝送方法に対応する信号伝送装置としては、前記図１，図９，図１１，図１３の構成において、例えば、エンコーダ／変調回路を伝送方式に応じたエンコードや変調処理を行う手段に変更し、さらに、記録再生のための光ヘッド装置や外部とのインターフェイス手段等をデータ送信手段や受信手段に変更するなどすれば、そのまま適用可能である。
【０１１５】
また、上述した例では、暗号化処理においてスクランブル／ディ・スクランブルのみについて述べたが、これ以外の変換処理も有り得ることはもちろんである。さらに、図１の記録側の変換処理は、スクランブル回路９においてなされているが、圧縮符号化回路２やエンコーダ／変調回路６の中で行ってもよい。この場合は、再生側の変換処理も同様に、ディ・スクランブル回路３１の代わりに、復調回路１４，エラー訂正回路１５，セクタ分解回路１６，伸長復号化回路２１の何れかで行うことになる。上記復調回路１４，エラー訂正回路１５，セクタ分解回路１６，伸長復号化回路２１の何れかで行う場合は、コピー管理情報判別回路１９にて判別を行うための情報を、それ以前に入手している必要がある。なお、この場合例えば、ＴＯＣ情報は一番最初に入手されているため、当該ＴＯＣ情報からのものを用いることができる。
【０１１６】
上述したように、本発明の実施の形態の構成例によれば、アナログコピーとディジタルコピーの両者に同時に不法コピー対策を施すことが可能となる。
【０１１７】
ここで、上述した本発明の実施の形態において、不法コピー防止のための処理とは、アナログ信号に対して所定の変換処理を施したり、あるいはディジタル信号に対してスクランブルをかけたりする処理を含むものである。例えば、アナログ映像信号に対する上記不法コピー防止のための処理としては、アナログ映像信号の垂直帰線期間の所定領域に録画スクランブル信号及び／又は録画禁止信号を付加する処理が挙げられ、また、記録媒体から再生されたディジタルデータをディジタルスクランブルする処理も、不法コピー防止のための処理の一例である。
上記録画スクランブル信号及び／又は録画禁止信号を付加する処理の具体例としては、アナログ映像信号の垂直帰線期間の内の複数の水平期間にわたって、複数の白ピーク信号、あるいは複数の擬似同期パルスと複数の白ピーク信号との組み合わせ信号を配する処理や、アナログカラー映像信号のカラーバースト信号の少なくとも一部の位相を変化させる処理や、アナログ映像信号の垂直帰線期間の内の所定の水平期間に複数のビットでコード化された不法コピー防止のための信号を配する処理等が挙げられる。
【０１１８】
以上説明したように、本発明の実施の形態における信号再生方法及び装置によれば、ディジタルデータが記録された信号記録媒体上の所定位置、例えば再生態様制御信号領域部、及び／又はセクタ化の各ヘッダ部に配されている記録制御情報に基づいて、ディジタルデータ及び／又はこのディジタルデータをＤ／Ａ変換してなるアナログ信号に所定の変換処理を施すことにより、不法コピーを防止することができる。
【０１１９】
また、本発明の実施の形態における信号記録方法及び装置によれば、信号記録媒体の記録を管理するための記録制御情報の少なくとも一部を鍵情報として信号を暗号化、若しくは記録制御情報の少なくとも一部にて指示される鍵情報により信号を暗号化し、この記録制御情報を信号記録媒体の再生態様制御信号領域部、及び／又は信号記録媒体への信号の各記録単位の所定位置に配し、暗号化した信号と共に信号記録媒体に記録することにより、不法コピーを防止することができる。
【０１２０】
さらに、本発明の実施の形態における信号伝送方法及び装置によれば、送信されたディジタルデータに付随する伝送を管理するための伝送制御情報に基づいて、ディジタルデータ及び／又はこのディジタルデータをＤ／Ａ変換してなるアナログ信号に所定の変換処理を施すことにより、不法コピーを防止することができる。
【０１２１】
さらに、本発明の実施の形態における信号伝送方法及び装置は、信号の伝送を管理するための伝送管理情報の少なくとも一部を鍵情報として信号を暗号化、若しくは記録制御情報の少なくとも一部にて指示される鍵情報により信号を暗号化し、この暗号化した信号に付随して伝送制御情報も伝送することにより、不法コピーを防止することができる。
【０１２２】
またさらに、本発明の実施の形態における信号記録媒体によれば、信号記録媒体への信号の記録を管理するための記録制御情報を、再生態様制御信号領域部、及び／又は信号の各記録単位の所定位置に配して記録すると共に、記録制御情報の少なくとも一部を鍵情報として信号を暗号化して記録してなることにより、不法コピーを防止することができる。
【０１２３】
すなわち、本発明の実施の形態によれば、例えばディジタルデータとアナログ信号の両者に対して記録制御情報又は伝送制御情報に基づいて所定の変換処理を施すようにし、当該所定の変換処理として、例えばディジタルデータには暗号化を、アナログ信号に対してはスクランブル処理を施すことにより、ディジタルコピーとアナログコピーの両者に対する不法コピーの防止を図っている。また、本発明の実施の形態によれば、記録制御情報又は伝送制御情報に基づいて信号を暗号化しているため、記録制御情報又は伝送制御情報を読み飛ばして再生すると暗号化を解くことができず、したがって不法コピーの防止が可能となっている。
【０１２４】
また、本発明の実施の形態における映像信号再生装置及び方法によれば、ディジタル映像信号と共に、スパイラル状の記録トラックの始端に設けられた再生態様制御信号領域部、及び／又はセクタ化されたディジタル映像信号の各ヘッダ部に配される不法コピー防止のための録画制御コードが、記録されてなるディジタルディスク媒体よりディジタル信号を再生して、少なくとも最終的にアナログ映像信号出力を得るものであり、上記録画制御コードの状態を検出し、この検出出力に基づいてアナログ映像信号の態様の録画スクランブル信号及び／又は録画禁止信号を発生させ、ディジタル映像信号を変換して得たアナログ映像出力信号の垂直帰線期間の所定領域に上記録画スクランブル信号及び／又は録画禁止信号を付加し、このアナログ映像信号を出力することにより、不法コピーを防止することができる。
【０１２５】
また、本発明の実施の形態における映像再生と記録の組み合わせ装置及び方法によれば、上記ディジタル映像信号と録画制御コードとが記録されてなるディジタルディスク媒体を再生して、少なくともアナログ映像信号を出力し、また記録する映像信号再生と記録の組み合わせ装置及び方法であって、録画制御コードの状態検出出力に基づいてアナログ信号の態様の録画スクランブル信号を発生させ、ディジタル映像信号を変換して得たアナログ映像信号の垂直帰線期間の所定領域に上記録画スクランブル信号を付加して出力し、また、入力アナログ映像信号に含まれる録画スクランブル信号に反応する自動振幅調整手段によって振幅調整された入力アナログ映像信号を、アナログ録画媒体に記録するようにしたことにより、不法コピーを防止することができる。
【０１２６】
さらに、本発明の実施の形態における映像信号再生と記録の組み合わせ装置及び方法によれば、録画制御コードの状態検出出力に基づいてアナログ映像信号の態様の録画禁止信号を発生させ、ディジタル映像信号を変換して得たアナログ映像信号の垂直帰線期間の所定領域に録画禁止信号を付加して出力し、また、入力アナログ信号をアナログ又はディジタル的に記録するときには、入力アナログ信号に含まれる録画禁止信号に応じて録画禁止手段を動作させることにより、不法コピーを防止することができる。
【０１２７】
またさらに、本発明の実施の形態におけるディジタルディスク媒体は、上記本発明の実施の形態の映像信号再生方法に対応させるためのものであって、ディジタル化された映像信号と共に、録画スクランブル信号及び／又は録画禁止信号を生成させるために機能する信号である録画制御コードを、記録してなることにより、不法コピーを防止することができる。
【０１２８】
すなわち、本発明の実施の形態によれば、ディジタルディスク媒体から読み出されたディジタル映像信号をＤ／Ａ変換して得たアナログ映像信号を出力するに際し、このアナログ映像信号に、アナログ映像信号の態様の録画スクランブル信号及び／又は録画禁止信号を付加し、この録画スクランブル信号及び／又は録画禁止信号が付加されたアナログ映像信号をアナログ又はディジタル的に記録媒体に記録させるようにしている。これにより、記録後のアナログ又はディジタルディスク媒体から再生された映像信号は、スクランブルがかけられたものとなり、又は、録画そのものがなされないことになる。
【０１２９】
また、本発明の実施の形態においては、ディジタルデータが記録された信号記録媒体の所定位置、例えば再生態様制御信号領域部、及び／又はセクタ化の各ヘッダ部に配されている記録制御情報に基づいて、上記ディジタルデータをＤ／Ａ変換してなるアナログ信号中のアナログカラー映像信号に対して、カラーバースト信号の少なくとも一部の位相を変化させる処理を施すことにより、ディジタルデータを一旦アナログ信号に変換してこれをアナログ又はディジタル的に不法コピーすることを禁止し、段階的な世代コピーをも禁止することが可能であり、さらに、アナログコピーとディジタルコピーの両者に同時に不法コピー防止の対策をとることが可能となっている。
【０１３０】
また、本発明の実施の形態においては、ディジタルカラー映像信号と、記録トラックの始端に設けられた再生態様制御信号領域部、及び／又はセクタ化されたディジタルカラー映像信号の各ヘッダ部に配される録画制御コードとが、記録されてなるディジタルディスク媒体を再生して、少なくともアナログカラー映像信号を出力するときに、上記録画制御コードの状態の検出出力に基づいて、上記ディジタルカラー映像信号をＤ／Ａ変換してなるアナログカラー映像信号に対して、カラーバースト信号の少なくとも一部の位相を変化させる処理を施し、このアナログカラー映像信号を出力することにより、当該ディジタルディスク媒体のコピーを行う際には、上記カラーバースト位相が変化させられることによりアナログ信号の態様の録画スクランブルが施されたアナログカラー映像信号がアナログ又はディジタル的に記録されることになるため、記録後のアナログ又はディジタルディスク媒体から再生された映像信号は、スクランブルがかけられたものとなる。したがって、本発明によれば、ディジタルディスク媒体に記録されたディジタルカラー映像信号を一旦アナログカラー映像信号に変換し、これをアナログ的又はディジタル的に不法コピーすることを禁止でき、さらに段階的な世代コピーをも禁止することも可能である。
【０１３１】
なお、上述した説明では、光ディスク及びビデオテープを信号記録媒体として説明しているが、その他、いわゆるＩＣカードや各種メモリ素子等の半導体記憶媒体や、ハードディスクやフレキシブルディスク等の磁気ディスク媒体を使用することも可能であり、光ディスクにおいてもピットによる記録がなされるディスクや、光磁気ディスクの他に、相変化型光ディスクや有機色素型光ディスク、紫外線レーザ光により記録がなされる光ディスク、多層記録膜を有する光ディスク等の各種のディスクを用いることができ、テープ状の記録媒体もビデオテープに限らず他の各種のものに適用することが可能である。
【０１３２】
【発明の効果】
本発明によれば、ディスク状記録媒体上の映像信号を他の記録媒体へアナログ映像信号としてコピーすることを管理するための記録制御情報を記録したディスク状記録媒体であって、このディスク状記録媒体のリードイン内のＴＯＣ領域とプログラム領域は同サイズのセクタ構造で構成され、このセクタ構造は各々、ヘッダ部とデータ部からなり、上記記録制御情報を少なくとも上記ＴＯＣ領域にあっては上記データ部に、上記プログラム領域にあっては上記ヘッダ部に記録してなることにより、同サイズのセクタ構造のＴＯＣ領域とプログラム領域に、アナログ映像信号としてコピーすることを管理するための記録制御情報を記録することができ、これによって、アナログコピー防止の対策をとることが可能となっている。
【０１３３】
また、本発明によれば、ディジタルディスク媒体に記録されたディジタルカラー映像信号を一旦アナログカラー映像信号に変換し、これを不法コピーすることを禁止でき、さらに段階的な世代コピーをも禁止することも可能である。
【図面の簡単な説明】
【図１】マスタディスク作製工程および複製されたディスクの再生工程を説明するための図である。
【図２】コピー管理情報について説明するための図である。
【図３】スクランブル回路の具体的構成を示す回路図である。
【図４】光ディスクの構造を説明するための図である。
【図５】データセクタの構成を説明するための図である。
【図６】ＴＯＣのセクタの構成を説明するための図である。
【図７】マスタディスク作製工程および複製されたディスクの再生工程の他の例を説明するための図である。
【図８】アナログ映像信号にプロテクトコード信号が付加された状態を示す波形図である。
【図９】ディジタルビデオデータをアナログビデオ信号に変換し、さらにこれをディジタルビデオデータに変換してコピーする際の不法コピー防止を実現するための構成を示すブロック回路図である。
【図１０】アナログ映像信号にアナログプロテクトパルスが付加された状態を示す波形図である。
【図１１】ディジタルビデオデータをアナログビデオ信号に変換し、これをアナログ的にコピーする際の不法コピー防止を実現するための構成を示すブロック回路図である。
【図１２】アナログ映像信号にアナログプロテクトパルス及びプロテクトコード信号が付加された状態を示す波形図である。
【図１３】ディジタルビデオデータをアナログビデオ信号に変換し、これをアナログ及びディジタル的にコピーする際の不法コピー防止を実現するための構成を示すブロック回路図である。
【図１４】コピー管理情報の他の具体例について説明するための図である。
【図１５】カラーバーストの反転処理を説明するための図である。
【図１６】スクランブル回路の他の具体的構成を示す回路図である。
【図１７】セクタフォーマットの他の具体例を説明するための図である。
【図１８】図１７のセクタフォーマットのセクタヘッダの構成例を説明するための図である。
【符号の説明】
９  スクランブル回路、  １７  ＴＯＣ内のコピー管理情報読み取り回路、  １８  データセクタのヘッダ内のコピー管理情報読み取り回路、  １９  コピー管理情報判別回路、、  ２０  プロテクト信号生成回路、  ２４  ミックス回路、  ３１  ディ・スクランブル回路、  ３２  ディジタルスクランブル回路、  ６２  ＡＧＣ回路、  ７２  プロテクトパルス生成回路、  ７４  プロテクトコード信号生成回路、  ８６  ＴＯＣ内へのコピー管理情報の付加回路、  ８７  データセクタのヘッダ内へのコピー管理情報の付加回路、  ８８  プロテクトコード信号検出回路
【図１】
0003695446.tif 000002
【図２】
0003695446.tif 000003
【図３】
0003695446.tif 000004
【図４】
0003695446.tif 000005
【図５】
0003695446.tif 000006
【図６】
0003695446.tif 000007
【図７】
0003695446.tif 000008
【図８】
0003695446.tif 000009
【図９】
0003695446.tif 000010
【図１０】
0003695446.tif 000011
【図１１】
0003695446.tif 000012
【図１２】
0003695446.tif 000013
【図１３】
0003695446.tif 000014
【図１４】
0003695446.tif 000015
【図１５】
0003695446.tif 000016
【図１６】
0003695446.tif 000017
【図１７】
0003695446.tif 000018
【図１８】
0003695446.tif 000019